(57)【要約】【課題】体と面で接触して、持ち運ぶ際の揺れの発生を防止できるバッグを提供するものである。【解決手段】外力を除去すると元の形に戻ろうとする素材から成る一対の正面胴部１４と一対の側面胴部１６とで本体１０の胴部を形成し、取手１２を外力を除去すると元の形に戻ろうとする素材から成る１本の帯状のものとする。正面胴部１４を折り曲げて本体部２２と折曲げ突出部２４とし、側面胴部１６を折り曲げて本体部３２と折曲げ突出部３４とする。正面胴部１４の折曲げ突出部２４における折り曲げ箇所２６以外の箇所と１６側面胴部の折曲げ突出部３４における折曲げ箇所３６以外の箇所をステッチ５０，５２で連結固定するが、その際に取手１２の端も同時に固定する。正面胴部１４において、本体部２２と折曲げ突出部２４とが元に戻ろうとする力によって本体部２２が内側に湾曲し、本体部２２が体にフィットする形状となる。【選択図】      図１
2004254749.tif 000002
【特許請求の範囲】
【請求項１】
内部空間を形成する胴部並びに底部と、前記胴部に固定される２個の取手とを有するバッグにおいて、前記胴部が外力を除去すると元の形に戻ろうとする素材で形成する一対の正面胴部と一対の側面胴部とを有し、前記正面胴部の左右両側を折り曲げて１個の本体部と２個の折曲げ突出部とし、前記側面胴部の左右両側を折り曲げて１個の本体部と２個の折曲げ突出部とし、前記正面胴部の折曲げ突出部における折り曲げ箇所以外の箇所と前記側面胴部の折曲げ突出部おける折り曲げ箇所以外の箇所と前記取手とを固定手段で固定することを特徴とするバッグ。
【請求項２】
前記取手を外力を除去すると元の形に戻ろうとする素材から成る帯状のものとすることを特徴とする請求項１記載のバッグ。
【請求項３】
前記帯状の取手の両端の厚みを前記正面胴部や前記側面胴部の厚みの２倍とし、前記取手の両端において厚みの両側に傾斜面を形成し、前記正面胴部の折曲げ突出部に傾斜面を形成し、前記側面胴部の折曲げ突出部に傾斜面を形成し、前記正面胴部の折曲げ突出部の傾斜面と前記取手の一方の傾斜面とを接合させると共に前記側面胴部の折曲げ突出部の傾斜面と前記取手の他方の傾斜面とを接合させた状態で前記正面胴部と前記側面胴部と前記取手とを前記固定手段で固定することを特徴とする請求項２記載のバッグ。
【請求項４】
前記底部における前記正面胴部と連結する縁をその両端より中央側の位置が内側に向けてへこんだ形状とすることを特徴とする請求項１記載のバッグ。
【発明の詳細な説明】
【０００１】
【発明の属する技術分野】
本発明は、バッグに関するものである。
【０００２】
【従来の技術】
従来から、ハンドバッグや肩掛けバッグ等のバッグが知られている。バッグには、外力を除去した場合に元に戻ろうとする性質を有する剛性のある皮革や合成樹脂等の素材が使用されているものがある。素材に剛性のある皮革や合成樹脂等を使用するのは、型崩れしない形状のバッグを作るためである（特許文献１）。
【０００３】
【特許文献１】
実開昭５６−１２５７３３号公報（第３図）
【０００４】
【発明が解決しようとする課題】
外力を除去した場合に元に戻ろうとする性質を有する剛性のある皮革や合成樹脂等を素材とするバッグにおいては、内部空間の体積を大きくするために、その胴部は平面状態や外側に膨らんだ状態に形成されている。外力を除去した場合に元に戻ろうとする性質を有する剛性のある皮革や合成樹脂等で作ったバッグを例えば肩に掛けた状態で持ち歩くと、バッグの胴部が平面状態や外側に膨らんだ状態となっていると共に、体も外側に膨らんでいるため、体とバッグとは直線で接触する。このため、バッグを持ち歩くと、バッグが体との接触線を中心に揺動して、バッグが安定しないという不具合があった。
【０００５】
本発明は、体と面で接触して、持ち運ぶ際の揺れの発生を防止できるバッグを提供することを目的とする。
【０００６】
【課題を解決するための手段】
本発明に係るバッグは、内部空間を形成する胴部並びに底部と、前記胴部に固定される２個の取手とを有するバッグにおいて、前記胴部が外力を除去すると元の形に戻ろうとする素材で形成する一対の正面胴部と一対の側面胴部とを有し、前記正面胴部の左右両側を折り曲げて１個の本体部と２個の折曲げ突出部とし、前記側面胴部の左右両側を折り曲げて１個の本体部と２個の折曲げ突出部とし、前記正面胴部の折曲げ突出部における折り曲げ箇所以外の箇所と前記側面胴部の折曲げ突出部おける折り曲げ箇所以外の箇所と前記取手とを固定手段で固定するようにしたものである。
【０００７】
本発明に係るバッグは、前記取手を外力を除去すると元の形に戻ろうとする素材から成る１本の帯状のものとするものである。本発明に係るバッグは、前記帯状の取手の両端の厚みを前記正面胴部や前記側面胴部の厚みの２倍とし、前記取手の両端において厚みの両側に傾斜面を形成し、前記正面胴部の折曲げ突出部に傾斜面を形成し、前記側面胴部の折曲げ突出部に傾斜面を形成し、前記正面胴部の折曲げ突出部の傾斜面と前記取手の一方の傾斜面とを接合させると共に前記側面胴部の折曲げ突出部の傾斜面と前記取手の他方の傾斜面とを接合させた状態で前記正面胴部と前記側面胴部と前記取手とを前記固定手段で固定するものである。本発明に係るバッグは更に、前記底部における前記正面胴部と連結する縁をその両端より中央側の位置が内側に向けてへこんだ形状とするものである。
【０００８】
【作用】
本体の一部である正面胴部を折り曲げて本体部と折曲げ突出部とすると共に、本体の一部である側面胴部を折り曲げて本体部と折曲げ突出部とする。正面胴部の折曲げ突出部における折り曲げ位置以外の箇所と側面胴部の折曲げ突出部における折曲げ位置以外の箇所とをステッチで連結固定すると共に、その際に取手の端も同時に固定する。正面胴部の両端の折曲げ突出部には本体部と同一平面に戻ろうとする力が働き、その力によって本体部の横方向の中央部が内側に突出する方向に湾曲する。本体部が内側への湾曲することによって本体部が体にフィットし、バッグを持った時にバッグが揺れなくなる。
【０００９】
【発明の実施の形態】
次に、本発明を図面に基づいて説明する。図１は本発明に係るバッグの斜視図、図２は図１のバッグに使用する各部材の正面図を示す。バッグは主に本体１０と取手１２とから成り、本体１０は一対の正面胴部１４と、一対の側面胴部１６と、底部１８とから成る。これらの一対の正面胴部１４と一対の側面胴１６と前記底部１８とで、内部空間２０を形成する。２個の正面胴部１４と２個の側面胴部１６の素材は外力を与えると曲がるが、外力を除去した場合に元の形に戻ろうとする剛性のある素材とする。その素材は皮革や合成樹脂が望ましいが、それに限るものではない。底部１８も正面胴部１４や側面胴部１６と同じ素材で作るのが望ましいが、それに限るものではない。
【００１０】
図２に示すように、正面胴部１４は、長方形状の本体部２２の左右両側に襟のような三角形状の折曲げ突出部２４を一体にくっ付けた形状をしている。バッグの形成時に、正面胴部１４は一点鎖線の折曲げ位置２６を中心に折り曲げて本体部２２と折曲げ突出部２４とになるものである。折曲げ突出部２４の外縁は、上部側縁２８と下部側縁３０とから成る。
【００１１】
図３に示すように、側面胴１６は、上下の縁を湾曲させた形状の本体部３２と、その本体部３２の左右両側に襟のような三角形状の折曲げ突出部３４を一体にくっ付けた形状をしている。バッグの形成時に、側面胴部１６は一点鎖線の折曲げ位置３６を中心に折り曲げて本体部３２と折曲げ突出部３４とになるものである。折曲げ突出部３４の外縁は、上部側縁３８と下部側縁４０とから成る。側面胴部１６の左右の折曲げ突出部３４の形状は、正面胴部１６の左右の折曲げ突出部２４の形状と同一の形状に形成する。なお、本体部３２の上下の縁を湾曲させた形状としたが、直線状の形状にしても良い。
【００１２】
図４に示すように、底部１８は、正面胴部１６と連結する縁４２は両端から中央部に向かうにつれて徐々に内側（内部空間２０側）にへこむような円弧形状とする。
【００１３】
本発明では、図１に示す取手１２は帯状とし、その素材は外力を与えると曲がるが、外力を除去した場合に元の形に戻ろうとする剛性のある素材とする。取手１２の素材は皮革や合成樹脂が望ましいが、それに限るものではない。
【００１４】
次に、取手１２と正面胴部１４と側面胴部１６との連結状態を図５及び図６に基づいて説明する。図５は図１の要部の分解斜視図、図６は図５の状態から取手１２と正面胴部１４と側面胴部１６とを連結固定した状態を示す斜視図である。図５に示すように、帯状の取手１２の先端には厚みの両側に傾斜面４４が形成され、帯状の取手１２の先端は２つの傾斜面４４によってＶ字形状が形成される。正面胴部１４の折曲げ突出部２４の上部側縁２８には、その厚みわたって傾斜面４６が形成される。側面胴部１６の折曲げ突出部３４の上部側縁３８には、その厚みにわたって傾斜面４８が形成される。ここで、正面胴部１４と側面胴部１６の厚みをそれぞれｔとすると、取手１２の両端付近の厚みは２ｔとする。
【００１５】
取手１２と正面胴部１４と側面胴部１６との連結する場合には、正面胴部１４は折曲げ位置２６（図２）を中心に直角に折り曲げて本体部２２と折曲げ突出部２４とにする。同様に、側面胴部１６は折曲げ位置３６（図３）を中心に直角に折り曲げて本体部３２と折曲げ突出部３４とにする。図５に示すように、正面胴部１４と側面胴部１６とを折り曲げた状態において、帯状の取手１２の一方の傾斜面４４を正面胴部１４の折曲げ突出部２４の傾斜面４６に接合させると共に、帯状の取手１２の他方の傾斜面４４を側面胴部１６の折曲げ突出部３４の傾斜面４８に接合させる。それらの傾斜面同士を接合させた状態で、図１及び図６に示すように例えばステッチ５０等の固定手段で、取手１２を中央に挟んだ状態で、折曲げ突出部２４と側面胴部１６における折曲げ突出部３４と取手１２との３つの部材を連結固定する。
【００１６】
図６及ぶ図７に示すように、ステッチ５０から折れ曲がった状態で続くステッチ５２によって、正面胴部１４における折曲げ突出部２４と側面胴部１６における折曲げ突出部３４とを連結固定する。ステッチ５０は、正面胴部１４では折曲げ突出部２４の上部側縁２８に沿った位置付近に取付けられ、側面胴部１６では折曲げ突出部３４の上部側縁３８に沿った位置付近に取付けられる。ステッチ５２は、正面胴部１４の折曲げ突出部２４の下部側縁３０に沿った位置付近に取付けられ、側面胴部１６の折曲げ突出部３４の下部側縁４０に沿った位置付近に取付けられる。即ち、図７に示すように、正面胴部１４では本体部２２と折曲げ突出部２４との折曲げ位置２６にはステッチを取付けないようにする。また，側面胴部１６にも本体部３２と折曲げ突出部３４との折曲げ位置３６にはステッチを取付けないようにする。なお、正面胴部１４や側面胴部１６の裏面には見付５４を取付けても良い。更に、見付５４を兼用したポケットを取り付けても良い。
【００１７】
正面胴部１４は外力を除去した場合に元の形に戻ろうとする剛性のある素材を使用しており、しかも本体部２２と折曲げ突出部２４との折曲げ位置２６は固定されていない。この結果、湾曲した形を元に戻す方向の力が、本体部２２と折曲げ突出部２４とに及ぶ。折曲げ突出部２４が側面胴部１６の折曲げ突出部３４に固定されているので、正面胴部１４における湾曲した形を元に戻す方向の力が、本体部２２を内部空間２０側に向けてへこませることになり、正面胴部１４の本体部２２はへこんだ状態に保たれる。底部１８は、正面胴部１６と連結する縁４２は中央に向かうにつれて内側にへこんだ形状に形成されているので、正面胴部１４の本体部２２は、上端から下端に至るまで、横方向の中央位置が内部空間２０側に向けてへこんだ状態になる。この正面胴部１４のへこみ形状は体の膨らみ形状と合致し、バッグと体とが面で接触することになる。この結果、バッグの持ち運び時にバッグの揺れを少なくすることができる。
【００１８】
図１に示すように、帯状の取手１２の両端が正面胴部１４と側面胴部１６とに固定されることによって、外力を除去した場合に元の形に戻ろうとする剛性のある素材から成る帯状の取手１２はアーチ状となる。この帯状の取手１２の両端は平行な状態となっており、しかも途中で捩れることがない。この結果、帯状の取手１２に平らに戻る力が働くが、この力は綺麗なアーチ状を形作りしかもその形状を保持するものとなる。帯状の取手１２はアーチ形状を保持するので、帯状の取手１２を肩に掛けた時に、その取手１２は肩に抵抗なくなじむものである。
【００１９】
なお、底部１８と正面胴部１４とを連結する縁４２を直線形状としても、正面胴部１４の本体部２２が上方から縁４２に至るまでのほぼ全域において、中央位置が内側に突出する形状とすることができる。しかし、底部１８の縁４２の中央が内側にへこむ円弧形状とする方が、正面胴部１４の本体部２２の全域をより内側にへこませることができる。
【００２０】
【発明の効果】
以上説明したように、本発明に係るバッグによれば、帯状の取手の両端を平行にした状態で、取手の両端を正面胴部の本体部から続く折曲げ突出部に固定する。この結果、バッグの正面胴部の本体部が内側にへこむので、その正面胴部の本体部を体にフィットできる形状とすることができ、バッグを持ち歩く際にバッグが揺れることを防ぐことができる。また、帯状の取手には捩れがないので、取手を肩に掛けた際に、取手が肩になじみ抵抗感がない。
【図面の簡単な説明】
【図１】本発明に係るバッグの斜視図である。
【図２】本発明のバッグに使用する正面胴部の正面図である。
【図３】本発明のバッグに使用する側面胴部の正面図である。
【図４】本発明のバッグに使用する底部の正面図である。
【図５】図１の要部の構成部材を分解した状態を示す分解斜視図である。
【図６】図５の状態から各部材を連結固定した状態を示す斜視図である。
【図７】図１の要部の拡大断面図である。
【符号の説明】
１２  取手
１４  正面胴部
１６  側面胴部
１８  底部
２０  内部空間
２２  本体部
２４  折曲げ突出部
２６  折曲げ位置
３２  本体部
３４  折曲げ突出部
３６  折曲げ位置
４２  縁
４４  傾斜面
４６  傾斜面
４８  傾斜面
５０  ステッチ
５２  ステッチ
【図１】
2004254749.tif 000003
【図２】
2004254749.tif 000004
【図３】
2004254749.tif 000005
【図４】
2004254749.tif 000006
【図５】
2004254749.tif 000007
【図６】
2004254749.tif 000008
【図７】
2004254749.tif 000009